(57)【要約】      （修正有）【課題】救急車の連続使用にあたり、傷病者の二次的な感染を防止しつつ、救急病患者による血などの汚染による清掃および救急車の消毒作業等を省き、救急車の効率の良い使用が出来るようにする。【解決手段】ビニールフード本体１に天井面５、奥面６、底床面７そして傾斜付搬入口２を設け搬入口カーテン３、４は二重かさねとする。ビニールフード本体１を救急車内に固定するためにビニールフードの外側に面する天井面５に両面粘着テープを張付け、底床面７に両面粘着テープを張付ける。救急車内に箱形に形成したビニールフード本体１の片側の側面の位置に挿入口１４、１５、１６の×字切り込みを設け、×字切り込み面の外部側に外部カーテン８、９、１０を設け、面ファスナー１１、１２、１３で簡易固定がする。また、手だけを挿入出来る挿入口１４、１５、１６を設けることにより、担架にのった患者を移送中の車中でも簡易緊急処置ができる。【選択図】図１
0003111145.tif 000002
【実用新案登録請求の範囲】
【請求項１】
ビニールフード本体に天井面、奥面、底床面そして患者をのせた担架を搬入する出入り口になる傾斜付搬入口を備えた二重かさねになる搬入口カーテンを設け、ビニールフード本体を救急車内に立体的に組立て箱形の形状に保つように支え固定するために、ビニールフード本体の外側に接し面する天井面並びに底床面に直接複数の両面粘着テープを張付け固着する。救急車内にビニールフード本体を組立て箱形の形状に保つように救急車内の天面並びに床面に複数の両面粘着テープによって固着して、ビニールフード本体を差さえ固定出来るように設け、ビニールフードの囲いの中に担架にのせた患者を隔離して移送出来ることを特徴とした救急車専用搬送補助器具。
【請求項２】
ビニールフード本体を救急車内に設け箱形に固着形成し、ビニールフード本体の片側の側面の位置に複数の×字切り込みを設け、×字切り込み面の外部側にそれぞれ外部カーテンを設け、ビニールフード本体面と外部カーテン側それぞれに面ファスナーを設け簡易固定出来るようにして、担架にのった患者を移送中の車中でも簡易緊急処置ができるように手などを挿入出来る挿入口を備えた事を特徴とした救急車専用搬送補助器具。
【考案の詳細な説明】
【技術分野】
【０００１】  本考案は、ビニールフード本体に天井面、奥面、底床面そして患者をのせた担架を搬入する出入り口になる傾斜付搬入口を備えた二重かさねになる搬入口カーテンを設け、ビニールフード本体を救急車内に立体的に組立て箱形の形状に保つように支え固定するために、ビニールフード本体の外側に接し面する天井面並びに底床面に直接複数の両面粘着テープを張付け固着する。救急車内にビニールフード本体を組立て箱形の形状に保つように救急車内の天面並びに床面に複数の両面粘着テープによって固着して、ビニールフード本体を差さえ固定出来るように設け、救急車内にビニール材料を用いた箱型のフードを設けることが出来る。
つぎに、ビニールフード本体を救急車内に設け箱形に形成したビニールフード本体の片側の側面の位置に複数の×字切り込みを設け、×字切り込み面の外部側にそれぞれ外部カーテンを設け、ビニールフード本体面と外部カーテン側それぞれに面ファスナーを設け簡易固定出来るようにして、担架にのった患者を移送中の車中でも簡易緊急処置ができるように手などを挿入出来る挿入口を設けた。救急車専用搬送補助器具に関ものである。
【背景技術】
【０００２】  患者を隔離状態を維持したまま移送をするには、通常の救急車には患者を隔離出来る補助器具は設備されていない。ゆえに傷病者の二次的な感染を防止する事が出来ないため緊急時の救急車利用が出来ない。また患者による血などの汚染により車内の清掃を必要とし、そのために救急車の消毒作業を行った車両でなければ使用することができないなどの救急車使用するにも支障を来し緊急時では連続使用が出来ないなどの不便も生じている。
【考案の開示】
【考案が解決しようとする課題】
【０００３】  救急車への収容ができ、患者の付き添いの人たちと一定の隔離状態を維持したまま患者さんを移送できる。また救急車内での移送中の車中でも担架にのった患者を簡易緊急処置ができるようにフード内に入って患者に接触する事のないようにして、応急処置ができるように、手だけを挿入出来る挿入口を設けてあり応急処置を容易にする事ができる。四方上下を囲んだ透明ビニールフードを提供し傷病者の二次的な感染を防止しつつ、救急病患者による血などの汚染による清掃および救急車の消毒作業等が不要により、救急車などの連続使用も可能になり前述の欠点を解決使用とするものである。
【課題を解決するための手段】
【０００４】  本考案は、ビニールフード本体に天井面、奥面、底床面そして傾斜付搬入口を設け搬入口カーテンは二重かさねになる患者をのせた患者をのせた担架を搬入する出入り口を設け、ビニールフード本体を救急車内に箱形に固定するために、ビニールフードの外側に面する天井面並びに底床面に複数の両面粘着テープを張付け、ビニールフード本体を救急車内の天面並びに床面に複数の両面粘着テープによって固定出来るように設け救急車内にビニール材料を用いた箱型のフードを簡易に設けることが出来るつぎに、ビニールフード本体を救急車内に設け箱形に形成したビニールフード本体の片側の側面の位置に複数の×字切り込みを設け、×字切り込み面の外部側にそれぞれ外部カーテンを設け、ビニールフード本体面と外部カーテン側それぞれに面ファスナーを設け簡易固定出来るようにして、担架にのった患者を移送中の車中でも簡易緊急処置ができるように、フード内に入って患者に接触する事を抑えながら、簡易な応急処置ができるように、手だけを挿入出来る挿入口を設けることにより、救急車による隔離移送ができ、問題点を解決している。
【考案の効果】
【０００５】  上述のように、本考案の救急車専用搬送補助器具は、救急車内にビニールフード本体を固着固定し設ける事により、移送中の車中でも患者を隔離して移送できる。また簡易緊急処置ができるように、患者に接触する事なくカーテンフードにより隔離された状況で、手などを挿入出来る挿入口を設けてあるため、簡易な応急処置もできる。また救急車による隔離移送のため四方上下を囲んだ透明ビニールフードを設けてあるゆえに、傷病者の二次的な感染を防止しつつ、救急病患者による血などの汚染による清掃および救急車の消毒作業等が不要により、救急車などの連続使用も可能になるなどの救急車による人命医療処置効果として役立つ。
【考案を実施するための最良の形態】
【０００６】  ビニールフード本体に天井面、奥面、底床面そして患者をのせた担架を搬入する出入り口になる傾斜付搬入口を備えた二重かさねになる搬入口カーテンを設け、ビニールフード本体を救急車内に箱形に固定するために、ビニールフードの外側に面する天井面並びに底床面に複数の両面粘着テープを張付け、ビニールフード本体を救急車内の天面並びに床面に複数の両面粘着テープによって固着固定出来るように設け、救急車内にビニール材料を用いた箱型のフードを容易に設けることが出来るようにしたまた、ビニールフード本体を救急車内に設け箱形に形成したビニールフード本体の片側の側面の位置に複数の×字切り込みを設け、×字切り込み面の外部側にそれぞれ外部カーテンを設け、ビニールフード本体面と外部カーテン側それぞれに面ファスナーを設け簡易固定出来るようにして、担架にのった患者を移送中の車中でも簡易緊急処置ができるように、手だけを挿入出来る挿入口を設けることにより簡易な応急処置ができ、このようなビニールフードで加工されているので救急車内に容易に複数の両面粘着テープによって固定取り付けでき、また取り外しも容易であるゆえに、救急車には折り畳んだコンパクトな梱包形態で保管が出来、容易にすばやく取り付ける事が可能である。
【実施例】
【０００７】  以下、添付図面に従って一実施例を説明する。透明な強度のあるビニール材を用いて、箱型に加工するにおいては、シール加工機等を用いて容易に加工が出来る。また同素材は容易に重ねシール加工もできる。ビニールフード本体１に天井面５、奥面６、底床面７そして傾斜付搬入口２を設け搬入口カーテン３、４は二重かさねになる。患者２６をのせた担架２４を搬入する出入り口を設け、ビニールフード本体１を救急車内２５に箱形に固定するために、ビニールフードの外側に面する天井面５に両面粘着テープ１７、１８、１９、２０を張付け、底床面７に両面粘着テープ２１、２２、２３を張付け固着する。ビニールフード本体１を救急車内２５の天面並びに床面に両面粘着テープ１７、１８、１９、２０、２１、２２、２３によって固定出来るように設け、救急車内２５にビニール材料を用いた箱型のフードが出来るように設けてある【０００８】  ビニールフード本体１を救急車内２５に設け箱形に形成したビニールフード本体１の片側の側面の位置に挿入口１４、１５、１６の×字切り込みを設け、×字切り込み面の外部側に外部カーテン８、９、１０を設け、ビニールフード本体１面と外部カーテン８、９、１０側に面ファスナー１１、１２、１３を設け簡易固定が出来る。また、担架２４にのった患者２６を移送中の車中でも簡易緊急処置ができるように手だけを挿入出来る挿入口１４、１５、１６を設けた。【０００９】  本考案の一実施例は上述の如き構成からなるものであるから、使用後においては両面粘着テープをはく離する事により容易に救急車内２５から取り剥がしさせる事ができ、救急車内２５に設け箱形に形成したビニールフード本体１は容易に取り外しなどもでき、使用解除する事ができる。
【図面の簡単な説明】
【００１０】
【図１】本考案の斜視図
【図２】本考案の実施例を示す斜視図
【図３】本考案の実施例を示す
【符号の説明】
【００１１】１    ビニールフード本体
２    傾斜付き搬入口
３    搬入口外側カーテン
４    搬入口内側カーテン
５    天井面
６    奥面
７    底床面
８    外部カーテン
９    外部カーテン
１０  外部カーテン
１１  面ファスナー
１２  面ファスナー
１３  面ファスナー
１４  挿入口
１５  挿入口
１６  挿入口
１７  両面粘着テープ
１８  両面粘着テープ
１９  両面粘着テープ
２０  両面粘着テープ
２１  両面粘着テープ
２２  両面粘着テープ
２３  両面粘着テープ
２４  担架
２５  救急車内
２６  患者
【図１】
0003111145.tif 000003
【図２】
0003111145.tif 000004
【図３】
0003111145.tif 000005
【手続補正書】
【提出日】平成16年8月13日(2004.8.13)
【手続補正１】
【補正対象書類名】実用新案登録請求の範囲
【補正対象項目名】全文
【補正方法】変更
【補正の内容】
【実用新案登録請求の範囲】
【請求項１】
（１）ビニ−ルフード本体に天井面、奥面、底床面そして患者をのせた担架を搬入する出入り口になる傾斜付搬入口を備え二重かさねになる搬入口カーテンを設ける。
（２）ビニ−ルフード本体を救急車内に立体的に組立て箱形の形状に保つように支え固定するために、ビニ−ルフード本体の外側に接し面する天井面並びに底床面に直接、複数の両面粘着テープを張付け固着出来るように粘着部を備える。
（３）救急車内にビニ−ルフード本体を組立て箱形の形状に保つように救急車内の天面並びに床面に複数の両面粘着テープによって固着して、ビニ−ルフード本体を差さえ固定出来るように設け箱形の形状を保つようにした。
（４）救急車内にビニ−ルフード本体を組立て箱形の形状に保ったビニ−ルフードの囲いの中に二重かさねになる搬入口カーテンから担架にのせた患者を移送し隔離出来るビニ−ルフードを備えた事を特徴とした救急車専用搬送補助器具。
【請求項２】
（１）救急車内に箱形に固着形成するように設けたビニ−ルフード本体。
（２）ビニ−ルフード本体の片側の側面の位置に複数の×字切り込みを設け、×字切り込み面の外部側にそれぞれ外部カーテンを設ける。
（３）ビニ−ルフード本体面と外部カーテン側それぞれに面ファスナーを設け簡易固定出来るように設けてある。
（４）担架にのった患者を移送中の車中でも簡易緊急処置ができるように手などを挿入出来る×字切り込みの挿入口を備えたビニ−ルフードの救急車専用搬送補助器具である。
以上の構成からなる事を特徴とする救急車専用搬送補助器具。
【手続補正２】
【補正対象書類名】図面
【補正対象項目名】図１
【補正方法】変更
【補正の内容】
【図１】
0003111145.tif 000006
【手続補正３】
【補正対象書類名】図面
【補正対象項目名】図２
【補正方法】変更
【補正の内容】
【図２】
0003111145.tif 000007